(57)【要約】【課題】  電池を必要とせず、トリートメント中に発電をするための動作負担をかけることなく、かつ冷涼感も得ることのできる美容処理装置を提供する。【解決手段】  ペルチェ素子の片面に、肌面と接触する円盤状チタンを貼付し、他の面には熱容量の大きい銅鋳部材を蓄熱材として貼付し、温度差電力発生手段を構築し、該温度差電力発生手段により生じた電力を動力源として作動する、肌面を刺激する手段、例えば電流刺激手段を具備して構成実現した。【選択図】図１
2010284459.tif 000002
【特許請求の範囲】
【請求項１】
熱電変換素子の一方の面に、肌面と接触する比較的熱容量の低い部材を貼付し、他の一方の面には熱容量の大きい部材を蓄熱材として貼付して温度差電力発生手段を構築し、該温度差電力発生手段により生じた電力を動力源とし作動する、肌面刺激手段を具備したことを特徴とする美容処理装置。
【請求項２】
前記熱電変換素子として、ペルチェ素子を用いた請求項１記載の美容処理装置。
【請求項３】
前記肌面刺激手段が、肌面を通電する電流刺激手段、肌面を照射する光刺激手段及び肌面を放射する電磁波刺激手段を同時、または任意の組み合わせ、または個別に具備したことを特徴とする請求項１または請求項２記載の美容処理装置。
【発明の詳細な説明】
【技術分野】
【０００１】  本発明は、肌面の美容向上を可能とした、熱電変換素子を用いた美容処理装置に関する。
【背景技術】
【０００２】  従来から、肌面の美容効果を得るため、可視帯域の一部から赤外帯域の光を肌面に照射し、また刺激電流を通電する美容処理装置が市販され人気を博している。【０００３】  これらの製品は、乾電池等の一次電池や商用電源により充電される二次電池を電源として作動しているものが大部分を占める。【０００４】  近年、使い勝手や環境問題を考慮して電池を要しない、自家発電による前記同様の機能を有する美容処理装置も開発され、市販されている。（例えば特許文献１）
【先行技術文献】
【特許文献】
【０００５】
【特許文献１】  特開２００８−２６４５０７
【発明の概要】
【発明が解決しようとする課題】
【０００６】  以上に記した従来の美容処理装置では、使用済み電池処理の環境負荷問題が存在し、また自家発電タイプのものは、常に肌面に接するローターをせわしく回転させ、発電する必要があり、美容に肝要なリラクゼーションを得ることができない。【０００７】  本発明は、このような従来の美容処理装置が有していた問題を解決しようとするものであり、電池を必要とせず、せわしくローターを回転することも不要で、使用者に施術上の負担をかけることがなく、かつトリートメント中に冷涼感も得ることのできる美容処理装置を提供することを目的とする。
【課題を解決するための手段】
【０００８】  本発明は、上記目的を達成するために、熱電変換素子、例えばペルチェ素子の片面に、肌面と接触する比較的熱容量の低い部材を貼付し、他の面には熱容量の大きい部材を蓄熱材として貼付し、温度差電力発生手段を構築する。【０００９】  該温度差電力発生手段の出力は、出力インピーダンスは低いものの、出力電圧は目的とする電圧値に達していないため、ＤＣ／ＤＣコンバーターにより所定の電圧値に昇圧する。【００１０】  該ＤＣ−ＤＣインバーターの出力は、パルス駆動回路、間欠駆動回路及び電磁波発生回路の電源となり、パルス駆動回路の出力は肌面と接触する肌面電極、手掌と接触する手掌電極に供給され、間欠駆動回路の出力はＬＥＤに供給され、また電磁波発生回路の出力はコンデンサを介して肌面と接触する肌面電極に供給される。【００１１】  上記の構成部材は、熱伝導度の低いプラスチックケースに収納され、肌面と接触する肌面電極、手掌と接触する手掌電極のみがプラスチックケース外に配設される。【００１２】  本発明による美容処理装置の使用方法は、トリートメントする前に冷蔵庫の、例えばチルドルームに該美容処理装置を放置し、十分に冷却された後トリートメントを開始する。【００１３】  当初、前記ペルチェ素子の両面温度は同一の約２℃であるので、温度差電力は発生しないが、肌面と接触する比較的熱容量の低い肌面電極を介し、ペルチェ素子の片面が体温と同等に加温されるので温度差電力が生じ、肌面と接触する肌面電極、手掌と接触する手掌電極間にパルス電圧が発生し、電磁波出力が肌面と接触する肌面電極に印加されると同時に前記ＬＥＤが間欠発光するに至り、この動作は前記ペルチェ素子の他の面に貼付した熱容量の大きい蓄熱材の温度が、体温と同等になるまで持続する。
【発明の効果】
【００１４】本発明によれば上記したごとく、熱電変換素子の温度差を電力に変換して作動するので、一般家庭にある冷蔵庫を利用して電池を必要とせず、経済的で環境に優しい、使用者に施術上の負担をかけることがなく、かつトリートメント中に冷涼感も得ることのできる美容処理装置を提供することが可能である。
【図面の簡単な説明】
【００１５】
【図１】  本発明の一実施例で、一部断面で示す概略図ある。
【図２】  本発明の一実施例で、肌面電極にローラーを付加した概略図である。
【図３】  本発明の一実施例を示す電気的ブロック図である。図面内に付された符号は図１、図２、図３全てにわたり同一体を示す。
【発明を実施するための形態】
【００１６】  熱電変換素子、例えばペルチェ素子の片面に、肌面と接触する比較的熱容量の低い部材を貼付し、他の面には熱容量の大きい部材を蓄熱材として貼付し、温度差電力発生手段を構築し、該温度差電力発生手段により生じた電力を源とし、肌面を刺激する電流刺激手段、光刺激手段及び電磁波刺激手段を具備して構成実現した。
【実施例１】
【００１７】  図１は、本発明の一実施例を示す概略図であって、上部半分は断面で示され、ペルチェ素子３の片面には肌面と接触する比較的熱容量の低い円盤状の耐食チタン部材を貼付して肌面電極１とし、他の面には熱容量の大きい円筒状の銅鋳部材を貼付して蓄熱材４とし、温度差電力発生手段を構築している。【００１８】  肌面電極１に耐食チタン部材を使用した理由は、金属アレルギーを防止するためで、同一理由で手掌電極２も耐食チタン部材を使用している。【００１９】  また、蓄熱材４に銅鋳部材を使用した理由は、比熱即ち熱容量が大きいのに加え、結露等により発生する恐れのあるカビ類に対し、抗菌作用があるからである。
【実施例２】
【００２０】  図２に示す実施例は、図１に示した実施例の肌面電極１の形状を円盤状から軸受け状に変更し、該軸受けにローラー１１を回転自在に嵌合し、電気的及び熱的に一体化して肌面電極１としたもので、他の構造は同一である。【００２１】  前記軸受け部は熱伝導度が高く、比較的熱容量の低いアルミ部材を使用し、前記ローラー１１には金属アレルギーを防止するため、耐食チタン部材を使用している。【００２２】  図１に示した実施例では、肌面を円盤状の肌面電極１が摺動接触するのに対し、図２に示す実施例では、ローラー状の肌面電極１が回転接触するので、肌面に対する摩擦が少ない特長を有する。【００２３】  図３は本発明の実施例１及び実施例２に共通な電気的ブロック図であって、前記温度差電力発生手段、即ちペルチェ素子３の出力電圧はＤＣ／ＤＣコンバーター６により所定の電圧値に昇圧される。【００２４】  ＤＣ／ＤＣコンバーター６は、バイポーラトランジスタを用いたＬＣ発振回路構成となっており、２次側を巻き上げ、その両端電圧を整流直流化して後続のパルス駆動回路７、間欠駆動回路８及び電磁波発生回路１２の電源としている。【００２５】  パルス駆動回路７は、低閾値ゲイト電圧を有するＭＯＳ型ＦＥＴを用いた無安定マルチバイブレーターにより構成され、その発振周波数は皮膚刺激に適した１ＫＨｚとなっている。【００２６】  また間欠駆動回路８は、前記パルス駆動回路７同様、低閾値ゲイト電圧を有するＭＯＳ型ＦＥＴを用いた無安定マルチバイブレーターにより構成され、その発振周波数は２Ｈｚとなっている。【００２７】  電磁波発生回路１２はＬＣ発振回路構成となっており、その出力はコンデンサＣを介し肌面電極１に印加されている。【００２８】  無安定マルチバイブレーター構成素子としてＭＯＳ型ＦＥＴを使用した理由は、入力インピーダンスが高く、発振周波数を決定するＣＲ定数のうち、Ｃの値を小さくすることができ、回路の占有面積を縮小することが可能であるからである。【００２９】  パルス駆動回路７の出力は、スイッチ１０を介し、各々肌面電極１及び手掌電極２に供給され、使用条件に合わせ極性を反転可能となっており、肌面電極１には高周波的に浮かせるため、インダクターＬが挿入されている。【００３０】  間欠駆動回路８の出力は、ＬＥＤ９に供給され、０．２５秒ごとに点灯及び消灯を繰り返し実行し、連続点灯に起因する肌面の光照射慣れによる美容効果低下を防止している。【００３１】  また間欠駆動回路８の出力は、ペルチェ素子３の出力電圧値が一定値を下回ると、出力が遮断されるように構成されており、ＬＥＤ９の点滅の有無により本美容処理装置の使用の可否が判断できるようになっている。【００３２】  上記説明の各ブロックの電気回路は、プリント基板上に搭載形成され、図１及び図２に示す収納ケース５に内包される。（図示せず）【００３３】  上記説明のとおり、本発明によれば熱電変換素子の温度差を電力に変換して作動するので、一般家庭にある冷蔵庫を利用して電池を必要とせず、経済的で環境に優しい、使用者に施術上の負担をかけることがなく、かつトリートメント中に冷涼感も得ることのできる美容処理装置を提供することが可能となる。
【産業上の利用可能性】
【００３４】  蓄熱材の温度と、体温の温度差を利用して発電する仕組みであるので、整形外科治療の冷熱療法、温熱療法に電気刺激、光刺激及び電磁波刺激を加えた療法として利用できる可能性がある。
【符号の説明】
【００３５】  １    肌面電極          ２    手掌電極
３    ペルチェ素子      ４    蓄熱材
５    収納ケース        ６    ＤＣ／ＤＣコンバーター
７    パルス駆動回路    ８    間欠駆動回路
９    ＬＥＤ            １０  スイッチ
１１  ローラー          １２  電磁波発生回路
【図１】
2010284459.tif 000003
【図２】
2010284459.tif 000004
【図３】
2010284459.tif 000005